(57)【要約】【課題】簡易な構造で排水用隙間の排水性を確保しながら、排水用隙間によるシャワーヘッドの垂れ下りを防止すること。【解決手段】シャワーホース２３を案内収容するホースガイド２１に排水孔部３を形成する。ホースガイド２１の下方位置においてシャワーヘッド４後部とシャワーヘッド収納部２０の奥面２０ａとの間に、上端が排水孔部３と連通し下端がシャワーヘッド収納部２０の下面開口部２０ｃに連通する排水用隙間７を形成する。該排水用隙間７に臨んで対向するシャワーヘッド４後部とシャワーヘッド収納部２０の奥面２０ａのいずれか一方から、該排水用隙間７の一部を埋めるようにシャワーヘッド垂れ下がり防止用突起８を突設させたシャワーヘッドの収納構造である。【選択図】図１
2011064034.tif 000002
【特許請求の範囲】
【請求項１】
吐水を行うシャワーヘッドを出し入れ自在に収納するシャワーヘッド収納部が、前方及び下方にそれぞれ開口しており、シャワーヘッド収納部の奥面側に、シャワーヘッドに接続されるシャワーホースを案内収容するホースガイドが設けられたシャワーヘッドの収納構造であって、上記ホースガイドに、ホースガイド内部に溜まる水をホースガイド下方へ排出するための排水孔部を形成すると共に、ホースガイドの下方位置においてシャワーヘッド後部とシャワーヘッド収納部の奥面との間に、上端が排水孔部と連通し下端がシャワーヘッド収納部の下面開口部に連通する排水用隙間を形成し、該排水用隙間に臨んで対向するシャワーヘッド後部とシャワーヘッド収納部の奥面のいずれか一方から、該排水用隙間の一部を埋めるようにシャワーヘッド垂れ下がり防止用突起を突設したことを特徴とするシャワーヘッドの収納構造。
【発明の詳細な説明】
【技術分野】
【０００１】
本発明は、シャワーヘッドの収納構造に関し、詳しくは吐水を行うシャワーヘッドを前方及び下方に開口したシャワーヘッド収納部に出し入れ自在に収納するシャワーヘッドの収納構造に関するものである。
【背景技術】
【０００２】
従来から、シャワーヘッドに接続されるシャワーホースを洗面化粧台のバックパネルの一部に設けた取付孔から取り出し自在としたシャワー装置が知られている（例えば、特許文献１参照）。
【０００３】
ところが、上記特許文献１に見られる従来例では、シャワーホース表面に付着した水やパッキン損傷等により滴る水が、シャワーホースを伝って取付孔からバックパネルの背後空間に流出するようになり、衛生上において問題がある。
【先行技術文献】
【特許文献】
【０００４】
【特許文献１】特開２００８−５５１１３号公報
【発明の概要】
【発明が解決しようとする課題】
【０００５】
そこで本発明者らは、本発明に至る過程で、図６に示すように、吐水を行うシャワーヘッド４を、前方及び下方に開口したシャワーヘッド収納部２０に出し入れ自在に収納すると共に、シャワーヘッド収納部２０の奥面２０ａ側に、シャワーヘッド４に接続されるシャワーホース２３を案内収容するホースガイド２１を設けた構造において、ホースガイド２１の下面に、ホースガイド２１内部に溜まる水をホースガイド２１下方へ排出するための排水孔部３を形成し、さらに図７（ｂ）に示すように、ホースガイド２１の下方位置において、シャワーヘッド４の後端面とシャワーヘッド収納部２０の奥面２０ａとの間に排水用隙間７を形成し、ホースガイド２１の排水孔部３から滴る水を図７（ｂ）の矢印Ｗで示すように排水用隙間７からシャワーヘッド収納部２０の下面開口部２０ｃへと導いて、洗面ボウル１５（図４）内に排水する構成を考えた。これにより、ホースガイド２１内部の溜まり水がホースガイド２１の後端開口部から壁背後に流出するのを防止できる効果が得られる。
【０００６】
しかし、ホースガイド２１の下方位置において、シャワーヘッド４の後端面とシャワーヘッド収納部２０の奥面２０ａとの間に排水用隙間７を形成すると、シャワーヘッド４の自重とシャワーホース２３の柔軟性とによって、シャワーヘッド４の後端面がシャワーヘッド収納部２０の奥面２０ａに当たるまで、つまり、排水用隙間７の隙間分だけ図７（ａ）の矢印方向Ａに傾き、これによりシャワーヘッド４前部が図７（ａ）の矢印Ｂで示す方向へ垂れ下がり、シャワーヘッド収納部２０からはみ出して外観が見苦しくなるという問題が生じる。
【０００７】
なお、シャワーヘッド４の垂れ下がり防止の観点から排水用隙間７を無くすと、ホースガイド２１内部の溜まり水をシャワーヘッド収納部２０の下面開口部２０ｃから排水できなくなるという問題がある。
【０００８】
本発明は上記の事情に鑑みてなされたものであって、その目的とするところは、簡易な構造で排水用隙間の排水性を確保しながら、排水用隙間によるシャワーヘッドの垂れ下りを防止でき、排水性及び収納安定性にそれぞれ優れたシャワーヘッドの収納構造を提供することにある。
【課題を解決するための手段】
【０００９】
前記の課題を解決するために、本発明は、吐水を行うシャワーヘッド４を出し入れ自在に収納するシャワーヘッド収納部２０が、前方及び下方にそれぞれ開口しており、シャワーヘッド収納部２０の奥面２０ａ側に、シャワーヘッド４に接続されるシャワーホース２３を案内収容するホースガイド２１が設けられたシャワーヘッドの収納構造である。上記ホースガイド２１に、ホースガイド２１内部に溜まる水をホースガイド２１下方へ排出するための排水孔部３を形成する。ホースガイド２１の下方位置においてシャワーヘッド４後部とシャワーヘッド収納部２０の奥面２０ａとの間に、上端が排水孔部３と連通し下端がシャワーヘッド収納部２０の下面開口部２０ｃに連通する排水用隙間７を形成する。さらに排水用隙間７に臨んで対向するシャワーヘッド４後部とシャワーヘッド収納部２０の奥面２０ａのいずれか一方から、該排水用隙間７の一部を埋めるようにシャワーヘッド垂れ下がり防止用突起８を突設したことを特徴としている。
【００１０】
このような構成とすることで、排水用隙間７を備えた構造であっても、シャワーヘッド垂れ下がり防止用突起８によりシャワーヘッド４の下方への垂れ下がりを防止できると共に、ホースガイド２１の排水孔部３から滴る水は突起８で埋められていない排水用隙間７の残り領域を通ってシャワーヘッド収納部２０の下面開口部２０ｃへ流れ落ちる。これによりシャワーヘッド４の収納安定化を図りつつ、排水用隙間７の排水機能を確保できる。
【発明の効果】
【００１１】
本発明は、シャワーヘッド又はシャワーヘッド収納部のいずれかに垂れ下がり防止用突起を設けるという簡易な構造で、排水用隙間の排水性の確保と、排水用隙間によるシャワーヘッドの下方への垂れ下がり防止とが図られ、排水性及び収納安定性をそれぞれ向上させることができる。
【図面の簡単な説明】
【００１２】
【図１】本発明の一実施形態を示し、（ａ）はシャワーヘッド垂れ下がり防止用突起を備えたシャワーヘッドをシャワーヘッド収納部に収納した状態の縦断面図であり、（ｂ）は（ａ）の要部拡大断面図である。
【図２】（ａ）は同上のシャワーヘッド垂れ下がり防止用突起をシャワーヘッド後部の中央側に配置した一例の斜視図であり、（ｂ）はシャワーヘッド後部の左右両側に配置した他例の斜視図である。
【図３】同上のシャワーヘッドを収納するシャワーヘッド収納部を備えた収納ケース全体の斜視図である。
【図４】同上の収納ケースを備えた洗面化粧台の正面図である。
【図５】同上の収納ケースを備えた洗面化粧台の側面図である。
【図６】（ａ）は同上の収納ケースにシャワーヘッドを収納した状態の斜視図、（ｂ）はシャワーヘッドを省略した斜視図である。
【図７】（ａ）は同上の排水用隙間によるシャワーヘッドの垂れ下がり方向を説明する縦断面図であり、（ｂ）は排水用隙間を説明する要部拡大図である。
【発明を実施するための形態】
【００１３】
以下、本発明を添付図面に示す実施形態に基いて説明する。
【００１４】
本発明のシャワーヘッド４は、例えば図４、図５に示すように、洗面化粧台１０に設けた混合水栓１に取り付けられている。洗面化粧台１０は、前面に照明ランプ１１及びミラー１２を有し、内部に収納棚を有するミラーキャビネット１３と、上面に洗面ボウル１５を設けた下部キャビネット１４とを備えたもので、ミラーキャビネット１３の背面板１８に対して、混合水栓１を収納する収納ケース５が取り付けられている。
【００１５】
上記収納ケース５の前面部５ａは、図３に示すように、真正面向きよりも斜め上向きに傾斜しており、その中央部に人感センサーの情報に基づく自動吐水モードと操作レバー２による手動吐水モードとを切り替える切替スイッチ１９が設けられている。切替スイッチ１９の片側に、収納ケース５の下方に突出した操作レバー２の操作部２ｂの操作により吐水の流量と温度をそれぞれ調節する水栓カートリッジ（図示せず）が組み込まれており、反対側に、シャワーヘッド４を着脱自在に収納するシャワーヘッド収納部２０が設けられている。
【００１６】
一方、シャワーヘッド４は、ヘッド本体２８と、ヘッド本体２８の外周を覆うヘッドカバー２７（図２）とで構成されている。ヘッド本体２８には、図３に示すように、吐水口４ｂと、直流水とシャワー水を切替えるハンドル部４ａと、ホース２３との接続部とが設けられている。
【００１７】
ここで、本実施形態においては、シャワーヘッド４のヘッドカバー２７は、ヘッド本体２８の外周側面を覆うもので、直方体形状に形成されている。
【００１８】
一方、シャワーヘッド収納部２０は、前方及び下方にそれぞれ開口しており、シャワーヘッド収納部２０の奥面２０ａには、図１に示すように、シャワーヘッド４に接続されるシャワーホース２３を案内収容するホースガイド２１が奥面２０ａを貫通して取り付けられている。
【００１９】
ホースガイド２１の外面には、図２に示すシャワーヘッド４後部から突出する左右一対の引掛片６ｂをを引掛係止するための窪み部（図示せず）が設けられており、シャワーヘッド４をホースガイド２１に対して引掛係止できるようになっている。
【００２０】
ホースガイド２１の下面部には、図１（ｂ）に示すように、排水孔部３が開口形成されている。この排水孔部３は、シャワーホース２３表面に付着した水やパッキン損傷等によりホースガイド２１内部に滴下する水をホースガイド２１下方へ排出するものである。
【００２１】
さらにホースガイド２１の下方位置において、シャワーヘッド４の後端面とシャワーヘッド収納部２０の奥面２０ａとの間には、排水用隙間７が形成されている。排水用隙間７の上端はホースガイド２１の排水孔部３と連通しており、排水用隙間７の下端はシャワーヘッド収納部２０の下面開口部２０ｃと連通している。排水用隙間７は、排水孔部３から滴る水をシャワーヘッド収納部２０の下面開口部２０ｃへ導く排水経路を構成する。
【００２２】
一方、上記排水用隙間７に臨んで配置されるシャワーヘッド４の後端面からは、上記排水用隙間７の一部のみを埋めるようにしてシャワーヘッド垂れ下がり防止用突起８が突設されている。この突起８は、排水用隙間７によるシャワーヘッド４の垂れ下がりを防止するためのものであり、図２（ａ）の例ではシャワーヘッド４の後端中央側に１つ設けられており、この突起８は排水用隙間７の中央領域のみを埋めるように突出してシャワーヘッド収納部２０の奥面２０ａに当接するものであり、これにより排水孔部３から滴る水Ｗは突起８の両脇から流れ落ちるようになる。
【００２３】
なお、図２（ｂ）に示すように、シャワーヘッド４の後端の左右両側にシャワーヘッド垂れ下がり防止用突起８を設けて、排水孔部３から滴る水Ｗを突起８,８の間を通して流すようにしてもよい。
【００２４】
しかして、上記構成ホースガイド２１の下方位置に設けた排水用隙間７の一部を埋めるようにしてシャワーヘッド垂れ下がり防止用突起８を突設させたことにより、排水用隙間７に起因するシャワーヘッド４の傾きを防止できるようになる。つまり、シャワーヘッド４後部がホースガイド２１に引掛係止された状態で、シャワーヘッド４後部が傾いてシャワーヘッド４前部が下方へ垂れ下がることがないものである。しかもホースガイド２１の排水孔部３から滴る水は、突起８で埋められていない排水用隙間７の残り領域を通ってシャワーヘッド収納部２０の下面開口部２０ｃへと導かれるので、ホースガイド２１内に溜まる水がホースガイド２１の後端から壁背後に流出されることがない。これにより、垂れ下がり防止用突起８は、排水用隙間７の排水性確保機能と、シャワーヘッド４の垂れ下がり防止機能とを併せ持つようになる。
【００２５】
しかも、シャワーヘッド４の後端面から突起８を突設させるだけの簡単な構造で済むので、コストも抑えられる。
【００２６】
他の実施形態として、シャワーヘッド垂れ下がり防止用突起８をシャワーヘッド収納部２０の奥面２０ａから突設させるようにしてもよい。この場合、図２（ａ）或いは（ｂ）で示した突起８と同様な配置例とするのが好ましい。
【００２７】
なお、シャワーヘッド垂れ下がり防止用突起８はシャワーヘッド４（或いはシャワーヘッド収納部２０）と一体形成されてもよいが、別体で構成して接着やねじ止め等で取り付けるようにしてもよいものである。
【符号の説明】
【００２８】
３  排水孔部
４  シャワーヘッド
７  排水用隙間
８  シャワーヘッド垂れ下がり防止用突起
２０  シャワーヘッド収納部
２０ａ  奥面
２０ｃ  下面開口部
２１  ホースガイド
２３  シャワーホース
【図１】
2011064034.tif 000003
【図２】
2011064034.tif 000004
【図３】
2011064034.tif 000005
【図４】
2011064034.tif 000006
【図５】
2011064034.tif 000007
【図６】
2011064034.tif 000008
【図７】
2011064034.tif 000009